(57)【要約】【課題】  本発明は、コンクリート基礎又はコンクリート壁若しくはレンガ壁等に木材を直接固定する際に、コンクリート基礎等と木材との間の間隔を調整するのに都合のよい建築用アンカーの提供を目的とする。【解決手段】  軸体３と頭部２が一体に形成された建築用アンカー１において、前記頭部２には、複数形成されたフランジ状のリング５が形成されており、前記軸体３と前記頭部２との間には肉薄の凹部４が設けられた構成とした。【選択図】図１
2005036524.tif 000002
【特許請求の範囲】
【請求項１】
軸体と頭部が一体に形成された建築用アンカーにおいて、
前記頭部には、複数形成されたフランジ状のリングが形成されており、
前記軸体と前記頭部との間には肉薄の凹部が設けられていることを特徴とする建築用アンカー。
【請求項２】
軸体と頭部が一体に形成された建築用アンカーにおいて、
前記頭部は、ねじ山を有しており、
前記軸体と前記頭部との間には肉薄の凹部が設けられていることを特徴とする建築用アンカー。
【発明の詳細な説明】
【技術分野】
【０００１】
本発明は、コンクリート基礎又はコンクリート壁若しくはレンガ壁等に木材を直接固定する際に、コンクリート等と木材との間の間隔を調整するのに都合のよい建築用アンカーに関する。
【背景技術】
【０００２】
従来から、建物の壁等に形成された開口部に、窓や扉等の木枠を嵌め込む際に、木枠と開口部との間隔を調整して木枠を歪みなく取り付けるために使用する木ねじ等が知られている（例えば、特許文献１）。
【０００３】
この木ねじは、軸体の先端側にねじ込み用のねじ山と、頭部側に逆向きのねじ山を有している。開口部に木枠を固定した時、ねじ込み用のねじ山は、開口部にねじ込まれ、逆向きのねじ山は木枠内に位置している。ここで木ねじを緩めると、木枠は逆向きのねじ山が締めつけることになるので、開口部と離れるため、木ねじと開口部との間隔を調整することができる。
【０００４】
このような、木ねじは、開口部も木枠も共に木材である場合に使用が可能であるが、一方がコンクリートやレンガ等である場合には使用することができない。例えば、コンクリート基礎の上に直接根太を固定するような場合がこれに当る。この場合には、樹脂を円筒形に形成した建築用アンカーを使用することとなる。
【０００５】
建築用アンカーは、根太とコンクリート基礎に設けた下穴に挿通し、建築用アンカーに形成された孔に木ねじを挿通して、かなづち等でコンクリート基礎に打ち込まれる。建築用アンカーの先端部分の孔の内径は木ねじの外径よりも小さいため、下穴の中で建築用アンカーの先端部分が広がり、コンクリート基礎と建築用アンカーが圧接することで根太がコンクリート基礎に固定される。
【特許文献１】特開平９−２１７７２２号公報  （段落００１９以降  図１）
【発明の開示】
【発明が解決しようとする課題】
【０００６】
しかし、上記のような建築用アンカーでは、コンクリートと根太との間隔を調整することができない。
【０００７】
そこで本発明は、コンクリート基礎又はコンクリート壁若しくはレンガ壁等に木材を直接固定する際に、コンクリート基礎等と木材との間の間隔を調整するのに都合のよい建築用アンカーの提供を目的とする。
【課題を解決するための手段】
【０００８】
上記目的を達成するために、請求項１に係る発明は、軸体と頭部が一体に形成された建築用アンカーにおいて、前記頭部には、複数形成されたフランジ状のリングが形成されており、前記軸体と前記頭部との間には肉薄の凹部が設けられていることを特徴としている。
【０００９】
請求項２に係る発明は、軸体と頭部が一体に形成された建築用アンカーにおいて、前記頭部は、ねじ山を有しており、前記軸体と前記頭部との間には肉薄の凹部が設けられていることを特徴としている。
【発明の効果】
【００１０】
請求項１に係る発明は、軸体と頭部が一体に形成された建築用アンカーにおいて、前記頭部には、複数形成されたフランジ状のリングが形成されており、前記軸体と前記頭部との間には肉薄の凹部が設けられている構成とすることで、頭部は木材に、軸体はコンクリートに圧接し、頭部と軸体が凹部で分離されることによってコンクリート等と木材との間隔を調整することが可能となる。
【００１１】
請求項２に係る発明は、軸体と頭部が一体に形成された建築用アンカーにおいて、前記頭部は、ねじ山を有しており、前記軸体と前記頭部との間には肉薄の凹部が設けられている構成とすることで、コンクリート等と木材との間隔を調整し、固定することができる。
【発明を実施するための最良の形態】
【００１２】
次に、本発明の建築用アンカーを、図面を基に説明する。図１は、本発明の建築用アンカーを示す正面図である。建築用アンカー１は、樹脂を円筒形に形成したものである。頭部２と軸体３の間に、外径が小さくなった凹部４が形成されている。頭部２にはフランジ状のリング５が３つ形成されており、頭部の頂面から凹部４に向けてリング５を分割するようなスリット６が設けられている。軸体３は、中央から先端部分に向かってスリット７が設けられており、その周囲に複数の凸部８が形成されている。軸体３の先端部分にはスリット７は形成されていない。
【００１３】
図１では、頭部２にフランジ状のリング５を複数形成した実施例を示したが、本発明の建築用アンカー１はこのような実施例に限定されるものではない。例えば、リング５の代わりにねじ山を形成してもよい。
【００１４】
図２は、建築用アンカーに木ねじを挿通した状態を示す断面図である。建築用アンカー１には木ねじ９を挿通するための孔１０が開けられている。その内径は頭部２の頂面から軸体３の中央部分にかけてが、木ねじ９のねじ山１３の外径とほぼ等しく、軸体３の中央部分から軸体３の先端にかけては、それよりも小さくなっている。また、凹部４は肉薄に形成されている。
【００１５】
木ねじ９は金属製であり、頭部１１と軸体１２を有し、軸体１２には先端から軸体１２の３分の２程度の長さまでねじ山１３が転造されている。ねじ山１３は、頭部１１側のテーパよりも、先端側のテーパの方が、軸体１２とのなす角が緩やかになるように形成されている。軸体１２の頭部１１側には、フランジ状に形成された複数のリング１４がある。一方、頭部１１の頂面には十字穴又は六角穴といった、ドライバービットを挿入するための図示しない穴が形成されている。
なお、本発明の建築用アンカー１は、木ねじ９以外にも、例えば特許文献１のように逆向きのねじ山を転造した木ねじ等も使用可能である。
【００１６】
次に、本発明の建築用アンカー１を使用して、コンクリート基礎１５に直接根太を固定する場合の手順を説明する。図３は、下穴を開けたコンクリート基礎と根太に建築用アンカーを挿入した状態を示す図である。まず、電動ドリル等でコンクリート基礎１５と根太１６に下穴１７を開ける。下穴１７の内径は、建築用アンカー１の軸体３の外径とほぼ同じか、わずかに大きいものである。そして、その下穴１７に木ねじ９を途中まで挿入した建築用アンカー１を挿入し、かなづち等で木ねじ９の頭部１１を叩くことによって、木ねじ９と建築用アンカー１を下穴１７に挿入していく。この時、リング５は変形しながら根太１６に開けられた下穴１７に侵入していき、弾性力によって根太１６と建築用アンカー１のリング５が圧接する。
【００１７】
木ねじ９をかなづち等で下穴１７にさらに叩き込んでいくことで、軸体３の先端部分が孔１０の内径の細くなった部分に侵入する。すると、緩やかなテーパとなっているねじ山１３が、細い内径を徐々に押し広げ、それに伴い凸部８が下穴１７の側面に圧接される。この時、スリット７が形成されていなかった先端部分が木ねじ９の押し広げようとする力に対抗できなくなって割れる。このようにして、頭部２は根太１６に圧接し、軸体３はコンクリート基礎１５に圧接する。木ねじ９の頭部１１が建築用アンカー１の頭部２に入り、建築用アンカー１の頭部２と木ねじ９の頭部２が根太１６の上面と面一になる。この時根太１６はコンクリート基礎１５に密着している。
【００１８】
図４は、コンクリート基礎と根太との間隔を調整している状態を示す図である。建築用アンカー１全体を下穴１７に完全に挿通した後、ドライバー等で木ねじ９を左回り、すなわち木ねじ９を取り出す方向へ回転させる。木ねじ９に形成された複数のリング１４が建築用アンカー１の頭部２にひっかかるため、頭部２は木ねじ９と一緒に図の上方向にもちあがろうとする。この時、根太１６には頭部２に形成されたリング５が圧接しているため、根太１６も一緒にもちあがろうとする。
【００１９】
このように、建築用アンカー１の頭部２が木ねじ９の動きに追従して上方向に持ちあがろうとする一方で、軸体３は凸部８がコンクリート基礎１５に圧接しているためその場に留まろうとする。そのため、頭部２を持ち上げようとする力は肉薄に形成された凹部４に集中し、一定以上の力が掛かったところで凹部４は破断し、頭部２と軸体３は２つに分離する。その後、木ねじ９を緩めたりねじ込んだりすることで、根太１６もそれに追従して上下に移動し、コンクリート基礎１５と根太１６との間隔が調整できる。
【００２０】
図５は、コンクリート基礎と根太の間にパッキンを挟み込んだ状態を示す図である。このように、コンクリート基礎１５と根太１６との間隔が決定したら、パッキン１８等を挟んでコンクリート基礎１５と根太１６との間隔を固定する。このようにして床板の水平が容易に確保できる。
【００２１】
なお、上記実施例では、軸体３に直線状のスリット７と複数の凸部８を形成した建築用アンカー１を用いて説明したが、本発明はこのようなものに限定するものではない。直線状のスリット７ではなく、円弧等の曲線で構成されたスリットや、曲線と直線を組み合わせたようなスリット等を有する建築用アンカーも従来から存在しており、そのようなものにも本発明は適用可能である。また、凸部８の代わりにくさび型の突起が形成された建築用アンカー等にも適用可能である。
【００２２】
さらに、上記実施例ではコンクリート基礎に根太を直接固定する場合で説明したが、その他、コンクリート壁やレンガ壁等の開口部に木枠を取り付けるような場合にも使用することが可能である。
【図面の簡単な説明】
【００２３】
【図１】本発明の建築用アンカーを示す正面図である。
【図２】建築用アンカーに木ねじを挿通した状態を示す断面図である。
【図３】下穴を開けたコンクリート基礎と根太に建築用アンカーを挿入した状態を示す図である。
【図４】コンクリート基礎と根太との間隔を調整している状態を示す図である。
【図５】コンクリート基礎と根太の間にパッキンを挟み込んだ状態を示す図である。
【符号の説明】
【００２４】
１      建築用アンカー
２      頭部
３      軸体
４      凹部
５      リング
【図１】
2005036524.tif 000003
【図２】
2005036524.tif 000004
【図３】
2005036524.tif 000005
【図４】
2005036524.tif 000006
【図５】
2005036524.tif 000007